(57)【特許請求の範囲】
【請求項１】
天井部を形成する天井板とこの周縁に上端側を連結して垂下する側板から形成され該側板の下方に開口部を形成するケーシングと、該ケーシングの前記開口部側に着脱可能に装着されるエアフィルタユニットとを有し、前記ケーシングの前記側板の下端には水平方向に折り曲げられた下面部を備え、前記エアフィルタユニットは、エアフィルタと、これを囲繞するフィルタ取付枠とからなり、前記エアフィルタはその上方側を密封材を介して前記フィルタ取付枠に密接し、下方側を前記取付枠の下面に着脱可能に固定されるものからなり、前記フィルタ取付枠は前記ケーシングの前記下面部および建物等の天井に着脱可能に固定されることを特徴とする清浄空気吹出装置。
【請求項２】
前記ケーシングの上流側にはダクトが着脱可能に連結されるものである請求項１に記載の清浄空気吹出装置。
【請求項３】
前記ケーシング内にはファンが収納されるものである請求項１又は２に記載の清浄空気吹出装置。
【請求項４】
前記エアフィルタユニットのエアフィルタの吹き出し側には吹き出しパンチング板が配置されるものである請求項１乃至３のいずれかに記載の清浄空気吹出装置。
【発明の詳細な説明】
【０００１】
【発明の属する技術分野】
本発明は、簡便構造に形成され、その取付け，分割施工作業が容易にでき、シール性が良好な清浄空気吹出装置に関する。
【０００２】
【従来の技術】
エアフィルタの取付構造としては各種の公知技術があるが、例えば、実公平４−１４１０５号公報が挙げられる。実公平４−１４１０５号公報の第３図には、エアフィルタをガスケットを介してチャンバ内に設けたフィルタ取付枠にスタッドボルトで締付固定する構造が開示され、その第２図には、エアフィルタのエアフィルタ枠の空気流入側開口端縁部に設けたエアタイトシールにチャンバのユニット枠の内側に設けたエアフィルタ枠取付体の垂下縁（フランジ）を気密的に連結し、且つユニット枠の内側に周回突出して設けた内向きのエアフィルタ枠支持鍔体にエアフィルタ枠の空気流出側開口端縁部に係合して配置され、外方に突出して設けられたエアフィルタ枠支持体をエアタイトシールパッキンを介してボルト締めして気密的に固定した構造が開示されている。
【０００３】
【発明が解決しようとする課題】
前記の実公平４−１４１０５号公報の第３図に示すものは、エアフィルタとフィルタ取付枠との間やフィルタ取付枠のスタッドボルトの溶接部から塵埃がクリーンルーム内に漏れる問題点があった。また、スタッドボルトの締付けに要する無駄な空間に空気の滞留が起こり、塵埃の漏れの原因となる問題点があった。また、第２図に示すものは前記の問題点はないが、エアフィルタ枠の空気流出側開口端縁部に設けられたエアフィルタ枠支持体はエアフィルタ枠とは別体のものからなり、エアフィルタ枠の取り付け構造がやや複雑で取り付け性が劣る問題点がある。
【０００４】
本発明は、以上の事情に鑑みて創案されたものであり、ケーシングに一体構造のエアフィルタユニットを分割可能に、且つ容易に取り付けることができると共にシール性が確保され、ケーシング内にファン等を簡単に内蔵し得る清浄空気吹出装置を提供することを目的とする。
【０００５】
【課題を解決するための手段】
本発明の清浄空気吹出装置は、以上の目的を達成するために、請求項１に記載の通り、天井部を形成する天井板とこの周縁に上端側を連結して垂下する側板から形成され該側板の下方に開口部を形成するケーシングと、該ケーシングの前記開口部側に着脱可能に装着されるエアフィルタユニットとを有し、前記ケーシングの前記側板の下端には水平方向に折り曲げられた下面部を備え、前記エアフィルタユニットは、エアフィルタと、これを囲繞するフィルタ取付枠とからなり、前記エアフィルタはその上方側を密封材を介して前記フィルタ取付枠に密接し、下方側を前記取付枠の下面に着脱可能に固定されるものからなり、前記フィルタ取付枠は前記ケーシングの前記下面部および建物等の天井に着脱可能に固定されることを特徴とするものである。
【０００６】
また、本発明の請求項２に示す清浄空気吹出装置は、前記ケーシングの上流側にはダクトが着脱可能に連結されることを特徴とする。
【０００７】
また、本発明の請求項３に示す清浄空気吹出装置は、前記ケーシング内にはファンが収納されることを特徴とする。
【０００８】
また、本発明の請求項４に示す清浄空気吹出装置は、前記エアフィルタユニットのエアフィルタの吹き出し側には吹き出しパンチング板が配置されることを特徴とする。
【０００９】
ケーシングはダクトの連結やファンを内部に収納し得るように天井板と側板で囲まれた箱体状のものからなる。エアフィルタユニットはエアフィルタとこれを囲繞して一体的に固定されるフィルタ取付枠からなり、予め両者は組み付けられる。このエアフィルタユニットをケーシングの開口部側や建物の天井にシール部等を介し着脱可能に固定する。以上のように、ケーシングとエアフィルタユニットの連結部位は溶接することなく締付具等により容易に連結でき、また、簡単に分割することができる。従って、取付けや分割施工作業がきわめて容易にできる。
【００１０】
【発明の実施の形態】
以下、本発明の清浄空気吹出装置の実施の形態を図面を参照して詳述する。
本発明の清浄空気吹出装置１はケーシング２と、これに装着されるエアフィルタユニット３とからなり、本例ではケーシング２にダクト４が連結される。また、エアフィルタユニット３はエアフィルタ５とこれを囲繞するフィルタ取付枠６とからなる。
【００１１】
ケーシング２は、天井部を形成する天井板７と、この周縁から垂下してケーシング内の空間部８を形成する側板９とからなり、側板９の下方には開口部が形成される。また、側板９の下端には水平方向に折り曲げられた下面部１０および下面部１０から上方にほぼ垂直に立ち上がるフランジ部１１が形成される。また、側板９の一部には開放口１２が形成される。この開放口１２のある側の側板９にはダクト４が連結される。なお、ダクト４とケーシング２の側板９との連結はダクト接続フランジ１３と側板９側との間に架設されるポップナット３２ａとビス３２ｂにより行われる。また、図１に点線で示すように、ケーシング２の上流側にダクト４の代わりにファン１４を設ける場合もある。
【００１２】
エアフィルタユニット３は、図１，図２に示すように、エアフィルタ５とフィルタ取付枠６とから構成され、両者の接合部には密封材１５が介設される。
【００１３】
エアフィルタ５は、空気の清浄化を行うフィルタパック５ａとこれを囲繞して密接するエアフィルタ枠１７とからなる。エアフィルタ枠１７はフィルタパック５ａの外周に密接してこれを囲繞する側壁部１８と、その上方に形成されて溝部１９を形成する枠体部２０等とからなる。なお、側壁部１８は空間部２１を形成する中空枠体状のものからなる。また、側壁部１８の下方には、その周縁から外方に向かって突出して形成される固定部材２２が形成される。なお、固定部材２２は側壁部１８の下方周縁の一部又は全部にわたって形成される。
【００１４】
次に、フィルタ取付枠６の構造を説明する。フィルタ取付枠６は、内方に空気流通孔２３を形成し、上方および下方に空気流通口２４，２５を開口形成する箱状枠体からなる。空気流通口２４，２５の形成される内部にはエアフィルタ５が収納される。フィルタ取付枠６は、エアフィルタ枠１７の側壁部１８から適宜間隔を介して側壁部１８を囲繞して配設される外周枠２６と、外周枠２６の上方からほぼ直角に内方に向かって水平に折り曲げられて形成される折返部２７と、折返部２７の端部から下方に向かってほぼ直角に折り曲げられる上方フランジ部２８と、外周枠２６の下方からほぼ直角に内方に向かって折り曲げられる固定部材受け部２９と、この端部から上方に向かってほぼ直角に折り曲げられる下方フランジ部３０等とからなる。なお、本例では、下方フランジ部３０は、外周枠２６の下方周縁の一部又は全部に形成される。また、上方フランジ部２８は上方の空気流通口２４を囲繞するものであり、固定部材受け部２９の内縁および下方フランジ部３０は下方の空気流通口２５を囲繞するものでもある。
【００１５】
密封材１５は枠体部２０の溝部１９内に挿着されるものからなり、シール性を有するものが採用される。例えば、特開昭５９−１９３１１２号公報に開示されるような粘着力と弾力とを有するシリコンゲル等の粘弾体からなるゼリー状シール材が好ましい。勿論これに限定するものではない。また、図１および図２に示すように、フィルタ取付枠６の外周枠２６の下方周縁にはアングル状の天井取付けフレーム３１が固定される。
【００１６】
次に、以上の構造の清浄空気吹出装置１の組付け方法を図３により説明する。まず、ケーシング２側を説明する。ケーシング２の側板９の開放口１２にはダクト接続フランジ１３よりダクト４が接続され、ポップナット３２ａとビス３２ｂ（図１）等により固定される。また、ファン１４を必要とする場合にはケーシング２の上流側にダクト４の代わりに取り付けることができる。なお、ファン１４はファンケーシング３３（図１）により囲繞される。
【００１７】
一方、エアフィルタユニット３は、まず、フィルタ取付枠６をケーシング２に接合し、次に、エアフィルタ５を装着し一体化される。即ち、フィルタ取付枠６の折返部２７をケーシング２の下面部１０に合わせて、ケーシング２の下流側からシールドポップナット３８ａとビス３８ｂ等により固定することでケーシング２とフィルタ取付枠６が接続される。なお、シールドポップナット３８ａと下面部１０の間の外周部は予めケーシング２の製作中にシール材４３でシールの完全化を図る。また、ケーシング２と折返部２７の接合部の内側部はケーシング２にフィルタ取付枠６を接合した後にシール材４４でシールの完全化を図る。
次に、エアフィルタ５側に密封材１５を装着した後、エアフィルタ５をフィルタ取付枠６の空気流通孔２３内に挿着する。これにより、溝部１９内にはフィルタ取付枠６の上方フランジ部２８が入り込み、上方フランジ部２８の先端が密封材１５に圧接される。また、エアフィルタ枠１７の側壁部１８の外面はフィルタ取付枠６の下方フランジ部３０に当接し中心位置決めされる。また、上方フランジ部２８は溝部１９のほぼ中心位置に位置決めされる。この状態で固定部材２２の下方から締結具３４等を入れて固定することによりエアフィルタ５とフィルタ取付枠６とは一体的に固定される。
【００１８】
次に、図３に示すように、天井取付けフレーム３１上にガスケット３５を貼着し、エアフィルタ５を天井３６の貫通口３７を通過させてフィルタ取付枠６に当接せしめる。即ち、同時に天井取付けフレーム３１上のガスケット３５が天井３６に当る。また、この場合、図１に示すように吹き出しパンチング板４１を同時に固定することができる。これによりエアフィルタ５の吹き出し側が保護される。なお、図中３０はビスを示す。
【００１９】
以上の組立作業が終了したら、図１に示すように、天井取付けフレーム３１やガスケット３５の外縁部にシール材４０を貼着し、この部分のシールの完全化を図る。
【００２０】
前記したように、ケーシング内にファン１４を取り付ける場合には、予め、ダクト４の代わりにケーシング２の上流側にファン１４を内蔵したファン用ケーシング３３を装着することができる。
【００２１】
以上の説明において、ケーシング２を図示のような構造のものを採用したが、これに限定するものではない。また、ダクト４の装着はなくてもよい。
【００２２】
【発明の効果】
１）本発明の清浄空気吹出装置によれば、ケーシングに対し、エアフィルタユニットを簡単に着脱することができるため、組付けや分割の作業効率の向上が図れる。また、連結部位にシール材を介設するためシール性の確保が図れる。
２）また、本発明の清浄空気吹出装置によれば、ケーシングにはダクトが簡単に接続され、空気吹き出し効率の向上が図れる。
３）また、本発明の清浄空気吹出装置によれば、ケーシングとエアフィルタユニットとが簡単に分割できるため必要に応じてケーシング内にファンを容易に取り付けることができる。
４）また、本発明の清浄空気吹出装置によれば、エアフィルタの吹き出し側に吹き出しパンチング板が取り付けられるため、塵埃の侵入防止と安全性の向上が図れる。
【図面の簡単な説明】
【図１】本発明の清浄空気吹出装置の全体構造を示す横断面図
【図２】本発明の清浄空気吹出装置におけるエアフィルタユニットの構造を示す横断面図
【図３】本発明の清浄空気吹出装置におけるケーシングとエアフィルタユニットとの組立方法を説明するための横断面図
【符号の説明】
１    清浄空気吹出装置
２    ケーシング
３    エアフィルタユニット
４    ダクト
５    エアフィルタ
６    フィルタ取付枠
７    天井板
８    空間部
９    側板
１０    下面部
１１    フランジ部
１２    開放口
１３    ダクト接続フランジ
１４    ファン
１５    密封材
１７    エアフィルタ枠
１８    側壁部
１９    溝部
２０    枠体部
２１    空間部
２２    固定部材
２３    空気流通孔
２４    空気流通口
２５    空気流通口
２６    外周枠
２７    折返部
２８    フランジ部
２９    固定部材受け部
３０    下方フランジ部
３１    天井取付けフレーム
３２ａ  ポップナット
３２ｂ  ビス
３３    ファンケーシング
３４ａ  ポップナット
３４ｂ  ビス
３５    ガスケット
３６    天井
３７    貫通口
３８ａ  ポップナット
３８ｂ  ビス
３９    ビス
４０    シール材
４１    吹き出しパンチング板
４３    シール材
４４    シール材
【図１】
0003892555.tif 000002
【図２】
0003892555.tif 000003
【図３】
0003892555.tif 000004